(57)【要約】【課題】２本の丸パイプや角パイプをクロス状態に連結する際に、それぞれのパイプ専用の金具を用いる必要のない、パイプ同士の位置合わせも容易で、極めて簡単かつ安価なパイプ連結具を実現する。【解決手段】パイプを挿入する断面Ｕ字状部３と、その両側に一体に形成した平板部４・５とを有するパイプ押さえを２個有しており、それぞれのパイプ押さえのＵ字状部３にパイプＰ１・Ｐ２を挿入してクロス状態にボルトナットで連結するためのボルト孔を前記平板部４・５に４箇所に開けてある。前記のＵ字状部３の開口幅がＵ字状部の内径より小さくなる方向に両腕部６・７を傾斜させるとよい。あるいは、前記の両腕部６・７に、内側に突出する突起を部分的に又は全幅にわたって形成してもよい。【選択図】　　　　　図２
0003098386.tif 000002
【実用新案登録請求の範囲】
【請求項１】
パイプを挿入する断面Ｕ字状部と、その両側に一体に形成した平板部を有するパイプ押さえを２個有しており、
それぞれのパイプ押さえのＵ字状部にパイプを挿入してクロス状態にボルトナットで連結するためのボルト孔を前記平板部に４箇所に開けてあることを特徴とするパイプ連結具。
【請求項２】
前記のＵ字状部の開口部の開口幅がＵ字状部の内周の直径より小さくなる方向に両腕部を傾斜させてあることを特徴とする請求項１に記載のパイプ連結具。
【請求項３】
前記のＵ字状部の両腕部に、内側に突出する突起を部分的に又は全幅にわたって形成してあることを特徴とする請求項１に記載のパイプ連結具。
【考案の詳細な説明】
【０００１】
【産業上の利用分野】
本考案は、２本の丸パイプや角パイプなどを十字状にクロスした状態に連結するパイプ連結具に関する。
【０００２】
【従来の技術】
このように、２本の丸パイプや各パイプなどをクロス状態に連結するには、特開平１０−２３８５２０号公報などに記載のように、それぞれのパイプを別々に包囲し把持固定する金具を用意し、それぞれの金具同士を溶接で固定して一体化してあったり、互いに可動式に連結した構造が採用されている。
【０００３】
【考案が解決しようとする課題】
ところが、このようにそれぞれのパイプごとにパイプを包囲し把持固定する専用の金具を設け、それぞれの金具同士を連結しておく構造は、構造が複雑で、製造も困難なため、高価な製品となる。
【０００４】そのため、パイプ同士を簡単に連結し組み立てて簡易ハウス等を作ったり、建造物のパイプ製手摺りなどにテレビのアンテナを立てたりする場合のように、簡易な連結構造で足りる場合でも、高価なパイプ連結具を使用せざるを得ず、不経済である。
【０００５】また、それぞれのパイプごとに金具を把持固定する操作が必要なため、連結するパイプ同士の位置合わせが面倒であり、パイプ工事の専門技術家でないと、簡単に組立て使用できない、といった取り扱い上の不便もある。
【０００６】本考案の技術的課題は、このような問題に着目し、２本のパイプをクロス状態に連結する際に、それぞれのパイプ専用の金具を用いる必要がなく、パイプ同士の位置合わせ等の操作も容易で、極めて簡単かつ安価なパイプ連結具を実現することにある。
【０００７】
【課題を解決するための手段】
本考案の技術的課題は次のような手段によって解決される。請求項１は、パイプを挿入する断面Ｕ字状部と、その両側に一体に形成した平板部を有するパイプ押さえを２個有しており、それぞれのパイプ押さえのＵ字状部にパイプを挿入してクロス状態にボルトナットで連結するためのボルト孔を前記平板部に４箇所に開けてあることを特徴とするパイプ連結具である。
【０００８】このように、パイプを挿入する断面Ｕ字状部と、その両側に一体に形成した平板部を有するパイプ押さえを２個有しており、それぞれのパイプ押さえのＵ字状部にパイプを挿入してクロス状態にボルトナットで連結するためのボルト孔を前記平板部に４箇所に開けてあるため、それぞれのパイプ連結具のＵ字状部に別々のパイプを挿入した状態で、それぞれのパイプ連結具の平板部にボルトを挿通してボルトナットで締めつけることによって、２本のパイプをクロス状態に連結できる。
【０００９】このとき、それぞれのパイプ押さえは、単独ではパイプを包囲して把持固定したりすることはできず、他方のパイプ押さえとボルトナットで連結することで始めて、自己のパイプを把持固定でき、かつ相手側のパイプと連結し固定できる。その結果、それぞれのパイプ押さえは、相手側のパイプ押さえとの共同作用で始めて自己のパイプも把持固定できるため、連結されるパイプ同士の位置合わせと締めつけ固定は同時に行われる。したがって、位置合わせしながら締めつけ固定が可能となり、操作に熟練を必要としない。断面Ｕ字状部の両側に平板部を一体に形成したシンプルな構成であり、その結果、成型する金型も単純な装置ですみ、安価に製造できるので、パイプ連結具の製造コストも安価になる。
【００１０】請求項２は、請求項１に記載のＵ字状部の開口部の開口幅がＵ字状部の内周の直径より小さくなる方向に両腕部を傾斜させてあることを特徴とするパイプ連結具である。
【００１１】このように、両腕部を傾斜させてあることで、Ｕ字状部の開口幅がＵ字状部の内径より小さい形状になっているため、それぞれのパイプ押さえにパイプを押し込む際に、パイプによってＵ字状部が押し拡げられる格好となる。その結果、このときの弾力でＵ字状部がパイプを把持することになるので、他方のパイプ押さえと連結してない状態でも、パイプ押さえがパイプに仮保持される状態となり、以後のパイプ押さえ同士の連結作業やパイプ同士の位置合わせが容易になる。
【００１２】請求項３は、請求項１に記載のＵ字状部の両腕部に、内側に突出する突起を部分的に又は全幅にわたって形成してあることを特徴とするパイプ連結具である。
【００１３】このように、前記のＵ字状部の両腕部に、内側に突出する突起を部分的に又は全幅にわたって形成してあるため、Ｕ字状部中に開口部からパイプを押し込むと、この突起を越えた時点で、パイプにＵ字状部と突起がＵ字状部の弾力で圧接するため、パイプはパイプ押さえから離脱不能となる。したがって、パイプ押さえが他方のパイプ押さえと連結されない状態でも、パイプに仮保持された状態を維持でき、以後のパイプ押さえ同士の連結操作やパイプ同士の位置合わせが容易になる。
【００１４】
【考案の実施の形態】
次に本考案によるパイプ連結具が実際上どのように具体化されるか実施形態を説明する。図１は一対のパイプ押さえの斜視図であり、左側のパイプ押さえ１と右側のパイプ押さえ２とが、互いにクロスした状態で使用される。
【００１５】すなわち、左側のパイプ押さえ１も右側のパイプ押さえ２も、金属
平板で折り曲げ成型されており、Ｕ字状部３と、該Ｕ字状部３の両側に一体に形成した平板部４、５とを有している。したがって、左側のパイプ押さえ１のＵ字状部３中に鎖線で示す鉛直方向のパイプＰ１を挿入し、右側のパイプ押さえ２のＵ字状部３中に鎖線で示す水平方向のパイプＰ２を挿入した状態で、左側のパイプ押さえ１の平板部４、５と右側のパイプ押さえ２の平板部４、５とを、ボルト孔にボルトを挿通してボルトナットで連結すると、図２のように、鉛直方向のパイプＰ１と水平方向のパイプＰ２とが互いにクロスした状態で連結される。
【００１６】ボルトナットで連結する際に、左側のパイプ押さえ１の平板部４、５のボルト孔Ａ、Ｂ、Ｃ、Ｄから右側のパイプ押さえ２の平板部４、５のボルト孔ａ、ｂ、ｃ、ｄ中に図２のボルトＢａ、Ｂｂ、Ｂｃ、Ｂｄを挿入した状態で、右側のパイプ押さえ２の平板部４、５の外側からナットＮａ、Ｎｂ、Ｎｃ、Ｎｄを螺合させて締めつけることになる。
【００１７】このようにして、縦横のパイプＰ１とＰ２とをクロス状態で連結した状態において、パイプＰ１、Ｐ２がパイプ押さえ１、２中で容易に回転できるようだと、パイプＰ１とＰ２とを互いに強固に連結したことにはならない。
【００１８】ところが実際には、パイプＰ１とＰ２とは、互いにクロス状態で接し合う位置で互いに強固に押しつけられ、しかもパイプＰ１、Ｐ２の反対側の半円筒部分が縦横方向のパイプ押さえ１、２の半円筒状の面で押さえつけられることによって、クロス状態に連結固定される。
【００１９】このように強固に連結固定できるには、図３のように、パイプ押さえ１、２のＵ字状部３の半円筒状部内面の直径ｄ３よりも、パイプ押さえ１、２中に入るパイプＰ１、Ｐ２の直径Ｄｐが幾分大きいことが必要となる。すなわち、「ｄ３＜Ｄｐ」である。「ｄ３＝Ｄｐ」だと、内部のパイプＰ１、Ｐ２をＵ字状部３中に強固に締めつけることができず、緩むことになり、パイプ同士の連結固定も不可能となる。
【００２０】このように、「ｄ３＜Ｄｐ」という条件の下で、図２のようにして対向するパイプ押さえ１、２の平板部４、５同士をボルトナットで締めつける際に、平板部４、５同士がパイプ押さえの弾力に抗して互いに接するまで変形することになる。その結果、パイプＰ１とＰ２がクロス状態に接する位置で互いに強固に押しつけ合い、しかもＵ字状部３の半円筒部が内部のパイプＰ１、Ｐ２の半分を押しつけるので、パイプＰ１とＰ２とはクロス状態に強固に連結固定される。
【００２１】したがって、互いに連結されるパイプＰ１とＰ２との位置合わせをしながら、同時に締めつけ固定を行なうことになる。そのため、従来のように、それぞれのパイプへの取付け固定と位置合わせを独立して交互に行なう必要はなく、パイプＰ１とＰ２との連結操作が簡便となり、特別の熟練を必要としない。
【００２２】図３では、Ｕ字状部３の両腕部６と７とは互いに平行状態になっているため、対向するパイプ押さえ同士を連結する前の状態では、Ｕ字状部３中から内部のパイプＰ１が簡単に離脱してしまい、連結作業がしにくい。これに対し、図４では、開口幅ＷがＵ字状部３の内径ｄ３より小さく形成されている。すなわち、両腕部６と７とは互いに平行状態ではなく、開口ｉ寄りほど間隔が次第に小さくなるように角度βだけ傾斜させてある。
【００２３】その結果、開口部ｉからパイプＰ１を強引に押し込むと、Ｕ字状部３の弾力でパイプＰ１を包囲し把持することになり、しかもＵ字状部３の内径ｄ３よりも開口幅Ｗが小さいので、パイプＰ１が容易に離脱することはない。したがって、パイプＰ１にパイプ押さえ１が保持されたままとなり、以後の連結作業が容易になる。
【００２４】図５では、Ｕ字状部３の両腕部６と７とは互いに平行状態になっているが、Ｕ字状部３の半円筒状の中心位置より開口ｉ寄りの位置に、内側に突出する突起８、９を形成してある。そして、この突起８、９とＵ字状部３の半円筒状内面で形成される内径ｄ３より、挿入されるパイプＰ１の外径を大きめの寸法にしておけば、パイプＰ１を開口ｉから強引に押し込むと、突起８、９を通過した時点で、パイプＰ１はＵ字状部３中にその弾力で把持されることになる。その結果、パイプＰ１にパイプ押さえ１が保持されたままとなり、以後の連結作業が容易になる。
【００２５】なお、この突起８、９は、両腕部６、７に部分的に１個又は複数個形成するだけで足りるが、両腕部６、７の全幅にわたって形成することもできる。以上、鉛直方向のパイプＰ１側のパイプ押さえ１を中心に説明したが、他方のパイプ押さえ２も同様な構成とすることは言うまでもない。鉛直方向のパイプ押さえ１は、左右対称形状をしているため、その左右を逆にして使用してもよい。また、水平方向のパイプ押さえ２は、上下対称形状をしているので、その上下を逆にして使用してもよい。
【００２６】そして、片方のパイプ押さえ１と他方のパイプ押さえ２に挿通されるパイプＰ１とＰ２とは、同じ太さであってもよいし、異なる太さであっても差し支えない。同じ太さの場合は、パイプ押さえ１と２とは同じ物を共用できるので、１種類で済むことになる。パイプの寸法は通常規格化されているので、パイプ押さえも一定寸法を量産しておける。また、連結されるパイプは、片方は丸パイプであるのに対し、他方は角パイプであってもよい。角パイプ同士のクロス状連結にも応用できることは言うまでもない。
【００２７】このパイプ連結具は、農業用その他のビニールハウスを施工したりするのに好適であり、またこのパイプ連結具でパイプの骨組みを組立て、その上からビニールシートやテントなどを被せることで、物置や駐車場、作業用の簡易小屋などを施工するのにも利用できる。このとき、ボルトの頭側にビニールシートやテントなどを被せれば、従来のような突起物が無いため、ビニールシートやテントなどが破れたりすることは格段と減少する。
【００２８】
【考案の効果】
請求項１のように、パイプを挿入する断面Ｕ字状部と、その両側に一体に形成した平板部を有するパイプ押さえを２個有しており、それぞれのパイプ押さえのＵ字状部にパイプを挿入してクロス状態にボルトナットで連結するためのボルト孔を前記平板部に４箇所に開けてあるため、それぞれのパイプ連結具のＵ字状部に別々のパイプを挿入した状態で、それぞれのパイプ連結具の平板部にボルトを挿通してボルトナットで締めつけることによって、２本のパイプをクロス状態に連結できる。
【００２９】このとき、それぞれのパイプ押さえは、単独ではパイプを包囲して把持固定したりすることはできず、他方のパイプ押さえとボルトナットで連結することで始めて、自己のパイプを把持固定でき、かつ相手側のパイプと連結し固定できる。その結果、それぞれのパイプ押さえは、相手側のパイプ押さえとの共同作用で始めて自己のパイプも把持固定できるため、連結されるパイプ同士の位置合わせと締めつけ固定は同時に行われる。したがって、位置合わせしながら締めつけ固定が可能となり、操作に熟練を必要としない。断面Ｕ字状部の両側に平板部を一体に形成したシンプルな構成であり、その結果、成型する金型も単純な装置ですみ、安価に製造できるので、パイプ連結具の製造コストも安価になる。
【００３０】請求項２のように、両腕部を傾斜させることで、Ｕ字状部の開口幅がＵ字状部の内径より小さい形状になっているため、それぞれのパイプ押さえにパイプを押し込む際に、パイプによってＵ字状部が押し拡げられる格好となる。その結果、このときの弾力でＵ字状部がパイプを把持することになるので、他方のパイプ押さえと連結してない状態でも、パイプ押さえがパイプに仮保持される状態となり、以後のパイプ押さえ同士の連結作業やパイプ同士の位置合わせが容易になる。
【００３１】請求項３のように、前記のＵ字状部の両腕部に、内側に突出する突起を部分的に又は全幅にわたって形成してあるため、Ｕ字状部中に開口部からパイプを押し込むと、この突起を越えた時点で、パイプにＵ字状部と突起がＵ字状部の弾力で圧接するので、パイプはパイプ押さえから離脱不能となる。したがって、パイプ押さえが他方のパイプ押さえと連結されない状態でも、パイプに仮保持された状態を維持でき、以後のパイプ押さえ同士の連結操作やパイプ同士の位置合わせが容易になる。
【図面の簡単な説明】
【図１】一対のパイプ押さえの斜視図である。
【図２】一対のパイプ押さえで鉛直方向のパイプと水平方向のパイプがクロス状態に連結されている斜視図である。
【図３】パイプ押さえのＵ字状部の直径とパイプの外径との関係を示す平面図である。
【図４】Ｕ字状部の開口幅とパイプの外径との関係を示す平面図である。
【図５】Ｕ字状部の突起つき両腕部とパイプの外径との関係を示す平面図である。
【符号の説明】
１　縦方向のパイプ押さえ
２　水平方向のパイプ押さえ
Ｐ１　縦方向のパイプ
Ｐ２　水平方向のパイプ
３　Ｕ字状部
４・５　平板部
ｄ３　Ｕ字状部の半円筒状部の内径
Ｄｐ　パイプＰ１・Ｐ２の直径
６・７　腕部
８・９　突起
【図１】
0003098386.tif 000003
【図２】
0003098386.tif 000004
【図３】
0003098386.tif 000005
【図４】
0003098386.tif 000006
【図５】
0003098386.tif 000007